(57)【要約】【課題】非通電状態で携帯機をロックすることができる携帯機収納装置を提供する。【解決手段】携帯機収納装置２は、開口部２１から挿入された携帯機３の端部と接触する支持部２２と、支持部２２に回転可能に設けられ、携帯機方向の回転に基づいて収納された携帯機３のロック凹部３１に進入・離脱する凸部２５９を有するロックバー２５と、ロックバー２５の凸部２５９が携帯機３のロック凹部３１に進入した状態を保つようにロックバー２５の携帯機方向の回転とは逆方向の回転をロックする磁性部材２６と、収納された携帯機３に対してプッシュ操作がなされたとき、オン状態に切替わるスイッチ２７と、スイッチ２７がオン状態に切替わったとき、プッシュ操作によって変位した磁性部材２６を保持し、ロックバー２５の逆方向の回転をアンロックするソレノイド２８と、を備えて概略構成される。【選択図】図３
2011152835.tif 000002
【特許請求の範囲】
【請求項１】
収納された携帯機の端部と接触する接触部と、
前記接触部に回転可能に設けられ、携帯機方向の回転に基づいて収納された前記携帯機の凹部に進入・離脱する凸部を有する回転レバー部と、
前記回転レバー部の前記凸部が前記携帯機の前記凹部に進入した状態を保つように前記回転レバー部の前記携帯機方向の回転とは逆方向の回転をロックするロック部と、
収納された前記携帯機に対してプッシュ操作がなされたとき、オン状態に切替わるスイッチ部と、
前記スイッチ部が前記オン状態に切替わったとき、前記プッシュ操作によって変位した前記ロック部を保持し、前記回転レバー部の前記逆方向の回転をアンロックする保持部と、
を備えた携帯機収納装置。
【請求項２】
前記ロック部は、磁性部材によって形成され、
前記保持部は、通電によって磁力を発生し、前記磁力によって前記ロック部を保持する電磁石である請求項１に記載の携帯機収納装置。
【請求項３】
前記ロック部は、第１の弾性部材によって前記携帯機の取出し方向に弾性力が付加され、
前記回転レバー部は、前記弾性力に基づく前記ロック部の変位を規制する規制部を有する請求項１又は２のいずれかに記載の携帯機収納装置。
【請求項４】
前記回転レバー部の前記凸部は、前記携帯機を取り出すとき、前記携帯機の前記凹部と接触する第１の斜面を有する請求項１に記載の携帯機収納装置。
【請求項５】
前記回転レバー部の前記凸部は、前記携帯機を収納するとき、前記携帯機の前記端部と接触する第２の斜面を有する請求項４に記載の携帯機収納装置。
【請求項６】
前記回転レバー部は、前記携帯機が取り出されるとき、前記凹部と前記第１の斜面が接触することによって前記携帯機方向の回転とは逆方向の回転を行い、前記逆方向の回転に基づいて前記携帯機が収納されていた領域にその終端部が突出する請求項４に記載の携帯機収納装置。
【請求項７】
前記接触部は、第２の弾性部材によって前記携帯機の取出し方向に弾性力が付加される請求項１に記載の携帯機収納装置。
【請求項８】
収納された携帯機の端部と接触する接触部と、
前記接触部に回転可能に設けられ、携帯機方向の回転に基づいて収納された前記携帯機の凹部に進入・離脱する凸部を有する回転レバー部と、
磁性部材によって形成され、前記回転レバー部の前記凸部が前記携帯機の前記凹部に進入した状態を保つように前記回転レバー部の前記携帯機方向の回転とは逆方向の回転をロックするロック部と、
収納された前記携帯機に対してプッシュ操作がなされたとき、前記接触部と接触することによってオン状態に切替わるスイッチ部と、
通電によって磁力を発生する電磁石によって構成され、前記スイッチ部が前記オン状態に切替わったとき、前記プッシュ操作によって変位した前記ロック部を前記磁力によって保持し、前記回転レバー部の前記逆方向の回転をアンロックする保持部と、
を備えた携帯機収納装置。
【請求項９】
収納された携帯機の端部と接触する接触部と、
前記接触部に回転可能に設けられ、携帯機方向の回転に基づいて収納された前記携帯機の凹部に進入・離脱する凸部、及び終端部に第１の形状を有する回転レバー部と、
先端部に前記第１の形状に基づいた第２の形状を有して磁性部材によって形成され、前記回転レバー部の前記凸部が前記携帯機の前記凹部に進入した状態を保つように前記第１の形状及び前記第２の形状が嵌り合って前記回転レバー部の前記逆方向の回転をロックするロック部と、
収納された前記携帯機に対してプッシュ操作がなされたとき、前記接触部と接触することによってオン状態に切替わるスイッチ部と、
通電によって磁力を発生する電磁石によって構成され、前記スイッチ部が前記オン状態に切替わったとき、前記プッシュ操作によって変位した前記ロック部を前記磁力によって保持し、前記回転レバー部の前記逆方向の回転をアンロックする保持部と、
を備えた携帯機収納装置。
【発明の詳細な説明】
【技術分野】
【０００１】
本発明は、携帯機収納装置に関する。
【背景技術】
【０００２】
従来の技術として、車両の携帯機が収容される収容ホルダと、収容された携帯機に対する押圧操作によって収容ホルダをロックするロック手段と、通電に基づいてロック状態を保持する電磁石と、を備えた携帯機スロット装置が知られている（例えば、特許文献１参照）。
【０００３】
この携帯機スロット装置によると、通電に基づく電磁石の磁力によってロック手段のロック状態を保持することができるので、携帯機を排出不能にすることができる。
【先行技術文献】
【特許文献】
【０００４】
【特許文献１】特開２００４−５８７３１号公報
【発明の概要】
【発明が解決しようとする課題】
【０００５】
しかし、従来の携帯機スロット装置は、ロック状態を維持するためには、電磁石に対して常に通電状態を維持する必要があり、車両の電力を過大に消費するという問題があった。
【０００６】
従って本発明の目的は、非通電状態で携帯機をロックすることができる携帯機収納装置を提供することにある。
【課題を解決するための手段】
【０００７】
本発明の一態様は、収納された携帯機の端部と接触する接触部と、前記接触部に回転可能に設けられ、携帯機方向の回転に基づいて収納された前記携帯機の凹部に進入・離脱する凸部を有する回転レバー部と、前記回転レバー部の前記凸部が前記携帯機の前記凹部に進入した状態を保つように前記回転レバー部の前記携帯機方向の回転とは逆方向の回転をロックするロック部と、収納された前記携帯機に対してプッシュ操作がなされたとき、オン状態に切替わるスイッチ部と、前記スイッチ部が前記オン状態に切替わったとき、前記プッシュ操作によって変位した前記ロック部を保持し、前記回転レバー部の前記逆方向の回転をアンロックする保持部と、を備えた携帯機収納装置を提供する。
【０００８】
本発明の他の一態様は、収納された携帯機の端部と接触する接触部と、前記接触部に回転可能に設けられ、携帯機方向の回転に基づいて収納された前記携帯機の凹部に進入・離脱する凸部を有する回転レバー部と、磁性部材によって形成され、前記回転レバー部の前記凸部が前記携帯機の前記凹部に進入した状態を保つように前記回転レバー部の前記携帯機方向の回転とは逆方向の回転をロックするロック部と、収納された前記携帯機に対してプッシュ操作がなされたとき、前記接触部と接触することによってオン状態に切替わるスイッチ部と、通電によって磁力を発生する電磁石によって構成され、前記スイッチ部が前記オン状態に切替わったとき、前記プッシュ操作によって変位した前記ロック部を前記磁力によって保持し、前記回転レバー部の前記逆方向の回転をアンロックする保持部と、を備えた携帯機収納装置を提供する。
【０００９】
本発明の他の一態様は、収納された携帯機の端部と接触する接触部と、前記接触部に回転可能に設けられ、携帯機方向の回転に基づいて収納された前記携帯機の凹部に進入・離脱する凸部、及び終端部に第１の形状を有する回転レバー部と、先端部に前記第１の形状に基づいた第２の形状を有して磁性部材によって形成され、前記回転レバー部の前記凸部が前記携帯機の前記凹部に進入した状態を保つように前記第１の形状及び前記第２の形状が嵌り合って前記回転レバー部の前記逆方向の回転をロックするロック部と、収納された前記携帯機に対してプッシュ操作がなされたとき、前記接触部と接触することによってオン状態に切替わるスイッチ部と、通電によって磁力を発生する電磁石によって構成され、前記スイッチ部が前記オン状態に切替わったとき、前記プッシュ操作によって変位した前記ロック部を前記磁力によって保持し、前記回転レバー部の前記逆方向の回転をアンロックする保持部と、を備えた携帯機収納装置を提供する。
【発明の効果】
【００１０】
このような発明によれば、非通電状態で携帯機をロックすることができる。
【図面の簡単な説明】
【００１１】
【図１】本発明の第１の実施の形態に係る車両内部の概略図である。
【図２】本発明の第１の実施の形態に係る携帯機収納装置と携帯機の斜視図である。
【図３】本発明の第１の実施の形態に係る携帯機収納装置の図２のＡ−Ａ線断面図である。
【図４】本発明の第１の実施の形態に係る支持部の斜視図である。
【図５】（ａ）は、本発明の第１の実施の形態に係るロックバーの平面図であり、（ｂ）は、ロックバーの側面図である。
【図６】（ａ）は、本発明の第１の実施の形態に係る磁性部材の上面図であり、（ｂ）は、磁性部材の側面図である。
【図７Ａ】（ａ）は、本発明の第１の実施の形態に係る携帯機の取出し動作に関する断面図であり、（ｂ）は、磁性部材がソレノイドに吸引されている断面図である。
【図７Ｂ】（ｃ）は、携帯機がアンロックされたときの断面図であり、（ｄ）は、携帯機が取り出されたあとの断面図である。
【図７Ｃ】（ｅ）は、携帯機が取り出されたあと、ソレノイドが非通電となったときの断面図である。
【図８】本発明の第２の実施の形態に係る携帯機収納装置の断面図である。
【図９】本発明の第２の実施の形態に係る支持部の斜視図である。
【図１０】本発明の第２の実施の形態に係るロックバーの平面図である。
【図１１】（ａ）は、本発明の第２の実施の形態に係る携帯収納装置の図８のＤ−Ｄ線断面図であり、（ｂ）は、磁性部材の上面図である。
【図１２Ａ】（ａ）は、本発明の第２の実施の形態に係る携帯機がプッシュ操作されたときの断面図であり、（ｂ）は、磁性部材がソレノイドに吸引されている断面図である。
【図１２Ｂ】（ｃ）は、携帯機がアンロックされたときの断面図であり、（ｄ）は、携帯機が取り出され、ソレノイドが非通電となったときの断面図である。
【発明を実施するための形態】
【００１２】
以下に、本発明の携帯機収納装置の実施の形態を図面を参考にして詳細に説明する。
【００１３】
[第１の実施の形態]
（車両の構成）
図１は、本発明の第１の実施の形態に係る車両内部の概略図である。本発明の携帯機収納装置を車両１に搭載した場合について説明する。
【００１４】
車両１は、図１に示すように、車両本体１０と、車両１の車両内部の前方に設けられ、計器類及びスイッチ装置等が配置されるインストルメントパネル１１と、扉１３を有してインストルメントパネル１１に設けられ、貴重品等を収納するグローブボックス１２と、を備えて概略構成されている。
【００１５】
このグローブボックス１２には、一例として、図１に示すように、携帯機３を収納する携帯機収納装置２が設けられている。なお、携帯機収納装置２の配置場所は、これに限定されない。
【００１６】
この携帯機収納装置２は、携帯機３を車両１に安全に収納するものであり、一例として、車両１の電源が投入されたのち、ユーザは、グローブボックス１２の扉１３を開け、携帯機３に対してプッシュ操作を行うことによってこの携帯機３を取り出す。なお、携帯機３は、一例として、車両１の正規キーに対する予備の電子キー、又は、機能を制限されたバレットキーであっても良く、これに限定されない。バレットキーとは、例えば、ホテルのバレット係に渡す予備の電子キーであり、車両１のドアの開閉、及びエンジンの始動・停止等に機能が制限されたものである。
【００１７】
（携帯機収納装置の構成）
図２は、本発明の第１の実施の形態に係る携帯機収納装置と携帯機の斜視図であり、図３は、本発明の第１の実施の形態に係る携帯機収納装置の図２のＡ−Ａ線断面図である。以下に、特に指定がない場合、断面図は図２のＡ−Ａ線断面図を指すものとする。
【００１８】
この携帯機収納装置２は、図２に示すように、一例として、矩形状を有する本体２０と、本体２０の挿入方向に対して右側面部に設けられた開口部２１と、を備えて概略構成されている。携帯機３は、開口部２１から挿入され、本体２０内に収納される。
【００１９】
携帯機収納装置２の本体２０は、図３に示すように、支持部２２及び携帯機３等を収納する収納部２００と、開口部２１に対向する収納部２００の側面部から突出して設けられ、支持部２２に弾性力を付加するばね（第２の弾性部材）２３を受けるばね受け２０１と、収納部２００の側面部に設けられ、磁性部材２６が矢印Ｂ及びＣ方向に往復する段差部２０２と、段差部２０２に設けられ、磁性部材２６に弾性力を付加するばね（第１の弾性部材）２４を受けるばね受け２０３と、段差部２０２に繋がるように設けられ、携帯機３が取り出される際のロックバー２５の逃げとなる凹部２０４と、支持部２２の上下に設けられたガイド２２４が挿入されるガイド溝２０５と、を備えて概略構成されている。
【００２０】
ガイド溝２０５は、支持部２２の上下に設けられたガイド２２４に対応して、本体２０の上下に設けられているものとする。
【００２１】
また携帯機収納装置２の本体２０内には、図３に示すように、開口部２１から挿入された携帯機３の端部と接触する支持部（接触部）２２と、支持部２２に回転可能に設けられ、携帯機方向の回転に基づいて収納された携帯機３のロック凹部（凹部）３１に進入・離脱する凸部２５９を有するロックバー（回転レバー部）２５と、ロックバー２５の凸部２５９が携帯機３のロック凹部３１に進入した状態を保つようにロックバー２５の携帯機方向の回転とは逆方向の回転をロックする磁性部材（ロック部）２６と、収納された携帯機３に対してプッシュ操作がなされたとき、オン状態に切替わるスイッチ（スイッチ部）２７と、スイッチ２７がオン状態に切替わったとき、プッシュ操作によって変位した磁性部材２６を保持し、ロックバー２５の逆方向の回転をアンロックするソレノイド（保持部）２８と、を備えて概略構成されている。
【００２２】
（支持部について）
図４は、本発明の第１の実施の形態に係る支持部の斜視図である。支持部２２は、図３及び図４に示すように、携帯機３を支持するように略コ字形状を有し、図３において右側に右側部２２１、及び左側に左側部２２２が両端部に設けられた基部２２０と、基部２２０、右側部２２１及び左側部２２２によって形成され、携帯機３が挿入される挿入凹部２２３と、右側部２２１及び左側部２２２の上部及び下部に設けられ、本体２０に設けられたガイド溝２０５に挿入されることで支持部２２の変位方向を案内するガイド２２４と、基部２２０の本体２０側に設けられ、ばね２３を受けるばね受け２２５と、ロックバー２５が挿入され、櫛歯のように形成された櫛歯状開口２２６と、櫛歯状開口２２６及びロックバー２５を貫通するように形成された貫通孔に挿入され、ロックバー２５を支持部２２に回転可能に固定し、ロックバー２５の回転軸であるピン２２７と、を備えて概略構成されている。
【００２３】
なお、ガイド２２４の位置は、上記に限定されず、右側部２２１及び左側部２２２の側面部に設けられても良く、その形状も問わない。また、支持部２２の形状は上記に限定されず、携帯機３をロックしたとき、ロックバー２５と共に携帯機３を保持する形状であれば良い。
【００２４】
（ロックバーの構成）
図５（ａ）は、本発明の第１の実施の形態に係るロックバーの平面図であり、（ｂ）は、ロックバーの側面図である。
【００２５】
ロックバー２５は、図５（ａ）に示すように、先端部２５１にＬ型ストッパ２５５及び凸部２５９が形成された本体２５０と、先端部２５１と、先端部２５１と対向する端部である終端部２５２と、携帯機３のロック凹部３１の側面部と接触する第１の斜面２５３と、携帯機３が収容されるとき、携帯機３の端部が接触する第２の斜面２５４と、凸部２５９に対向する本体２５０の側面部に略Ｌ型形状を有して設けられ、磁性部材２６と接触するＬ型ストッパ（規制部）２５５と、本体２５０とＬ型ストッパ２５５で形成される凹部２５６と、磁性部材２６の後述する第２の接触部が接触するストッパ２５７と、本体２５０に設けられ、ピン２２７が挿入される貫通孔２５８と、凸部２５９と、を備えて概略構成されている。
【００２６】
先端部２５１は、一例として、図５（ａ）に示すように、第１の斜面２５３と第２の斜面２５４とによって略三角形状となる凸部２５９が形成されている。この凸部２５９が携帯機３のロック凹部３１内に進入し、磁性部材２６によってロックバー２５の回転がロックされているとき、携帯機３は、ロックバー２５及び支持部２２と共に変位する、言い換えるなら、携帯機３は、携帯機収納装置２にロックされ、携帯機収納装置２から取出しできない状態となる。
【００２７】
Ｌ型ストッパ２５５は、携帯機収納装置２の段差部２０２を変位する磁性部材２６と接触し、磁性部材２６の取出し方向への変位を規制すると共に変位する。
【００２８】
ストッパ２５７は、図５（ｂ）に示すように、本体２５０の上側に設けられている。
【００２９】
（磁性部材の構成）
図６（ａ）は、本発明の第１の実施の形態に係る磁性部材の上面図であり、（ｂ）は、磁性部材の側面図である。
【００３０】
磁性部材２６は、一例として、矩形状を有して段差部２０２に設けられ、鉄及び鋼等の磁性体によって形成されている。磁性部材２６は、図６（ａ）に示すように、本体２６０と、本体２６０の短手方向の側面部に設けられ、ばね２４を受けるばね受け２６１と、ばね受け２６１と対向する本体２６０の先端部に設けられたＬ型先端部２６２と、Ｌ型先端部２６２の下部に形成され、ロックバー２５のＬ型ストッパ２５５と接触する第１の接触部２６３と、Ｌ型先端部２６２の上部に形成され、ロックバー２５のストッパ２５７と接触する第２の接触部２６４と、携帯機３がアンロックされるとき、ソレノイド２８と接触する本体２６０の長手方向の側面部である側部２６５と、を備えて概略構成されている。
【００３１】
磁性部材２６は、段差部２０２との間にばね２４が設けられており、携帯機３を取り出す方向、言い換えるなら、ばね２４から図３に示す矢印Ｃ方向に弾性力を付加されている。
【００３２】
磁性部材２６は、この弾性力によって、ロックバー２５のＬ型ストッパ２５５に第１の接触部２６３が接触し、ロックバー２５の凸部２５９を携帯機３のロック凹部３１に進入させている。
【００３３】
また、磁性部材２６は、この弾性力によってロックバー２５に押し付けられるので、ロックバー２５と共に変位する。つまり、磁性部材２６は、携帯機３がロックされているとき、携帯機３の変位の方向に従ってロックバー２５及び支持部２２と共に変位するよう構成されている。
【００３４】
（スイッチの構成）
スイッチ２７は、本体２７０と、レバー２７１と、を備え、一例として、レバー２７１が支持部２２によって本体２７０側に押されることによって、オフ状態からオン状態へと切替わり、オン状態となることによってソレノイド２８に電力を供給する、言い換えるなら、ソレノイド２８を通電状態にするように構成されている。
【００３５】
なお、スイッチ２７の配置は、これに限定されず、携帯機３が押し込まれたとき、オン状態に切替わる位置に配置されれば良い。また、スイッチ２７は、磁気センサや光学センサ等の非接触スイッチでも良く、その種類は限定されない。
【００３６】
（ソレノイドの構成）
ソレノイド２８は、一例として、ヨーク２８ｂにコイル２８ａを巻き回して構成される電磁石である。ソレノイド２８は、スイッチ２７がオン状態にあるときのみ、磁力を発生する電磁石となり、磁性部材２６を磁力によって吸引し、磁性部材２６を保持する。
【００３７】
ソレノイド２８は、スイッチ２７がオン状態にあるとき、磁性部材２６を磁力によって保持して、磁性部材２６とロックバー２５の接触を解除することができる。ソレノイド２８は、携帯機３をロックするときは、非通電状態であり、アンロックするとき、通電状態となることから、車両１のバッテリーの消費量を従来の通電によってロックするものに比べて大きく抑えることができる。
【００３８】
（動作）
以下に、本実施の形態における携帯機収納装置に関する動作を各図を参照して詳細に説明する。まず、携帯機３の取出し動作について説明する。
【００３９】
（携帯機の取出し動作について）
図７Ａ（ａ）は、本発明の第１の実施の形態に係る携帯機の取出し動作に関する断面図であり、（ｂ）は、磁性部材がソレノイドに吸引されている断面図であり、図７Ｂ（ｃ）は、携帯機がアンロックされたときの断面図であり、（ｄ）は、携帯機が取り出されたあとの断面図であり、図７Ｃ（ｅ）は、携帯機が取り出されたあと、ソレノイドが非通電となったときの断面図である。
【００４０】
ユーザは、車両１の電源投入後、携帯機３を取り出すためにグローブボックス１２の扉１３を開け、図７Ａ（ａ）に示す矢印Ｂ方向に携帯機３に対してプッシュ操作を行う。
【００４１】
携帯機３は、プッシュ操作が行われたことによって支持部２２を介して基部２２０に設けられたばね２３を収縮させ、支持部２２は、ガイド溝２０５に案内されながら、矢印Ｂ方向に変位する。
【００４２】
このとき、ロックバー２５のＬ型ストッパ２５５に第１の接触部２６３が接触している磁性部材２６は、ロックバー２５と共に矢印Ｂ方向にばね２４を収縮させながら変位する。
【００４３】
矢印Ｂ方向に変位した支持部２２は、その基部２２０がスイッチ２７のレバー２７１を本体２７０方向に押し、スイッチ２７は、オフ状態からオン状態へと移行する。
【００４４】
オン状態となったスイッチ２７は、ソレノイド２８に電力を供給、つまり、ソレノイド２８は通電状態となり、図７Ａ（ｂ）に示すように、磁性部材２６を磁力で吸引し、磁性部材２６の側部２６５とソレノイド２８が接触し、その状態が保持される。
【００４５】
ユーザが携帯機３から手を離すと、携帯機３は、図７Ａ（ｂ）に示すように、ばね２３によって矢印Ｃ方向に支持部２２の基部２２０を介して弾性力が付加される。弾性力が付加された支持部２２は、ガイド溝２０５に案内されながら矢印Ｃ方向、すなわち、携帯機３の取出し方向にロックバー２５と共に変位する。
【００４６】
このとき、磁性部材２６は、ソレノイド２８に磁力によって吸引されているため、ばね２４の弾性力によってロックバー２５と共に変位することができず、図７Ａ（ｂ）に示すように、ソレノイド２８に保持された状態を保っている。
【００４７】
支持部２２を介して矢印Ｃ方向に弾性力が付加された携帯機３は、一例として、ばね２３による弾性力によって支持部２２との接触状態が解除され、ロック凹部３１の第１の側面部３１０を介してロックバー２５の第１の斜面２５３に力を付加する。
【００４８】
ロックバー２５は、図７Ａ（ｂ）に示すように、磁性部材２６がソレノイド２８に保持されていることから、携帯機３方向とは逆方向に回転することが可能であるので、図７Ｂ（ｃ）に示すように、第１の側面部３１０を介して力が付加されることによって携帯機３方向とは逆方向に回転する。
【００４９】
携帯機３は、ロックバー２５を回転させながら取出し方向に変位し、ロック凹部３１からロックバー２５の凸部２５９が抜け出す、言い換えるなら、離脱し、開口部２１からさらに突出する。
【００５０】
このとき、ロックバー２５は、図７Ｂ（ｃ）に示すように、本体２０に設けられた凹部２０４にさらに先端部２５１が進入する。
【００５１】
ロックバー２５の凸部２５９は、図７Ｂ（ｄ）に示すように、一例として、携帯機３が収納されていた領域、すなわち、携帯機３を収納する際に携帯機３と接触する領域に突出しない位置まで回転し、ロックバー２５の回転が停止する。このとき、ロックバー２５の一部分、すなわち、ロックバー２５の終端部２５２は、支持部２２の挿入凹部２２３に突出している。
【００５２】
一方、スイッチ２７は、プッシュ操作が行われたとき、基部２２０によってレバー２７１が本体２７０側に押され、オン状態となっていたが、ばね２３の弾性力によって支持部２２が矢印Ｃ方向に変位したのち、レバー２７１が本体２７０から離れ、オン状態からオフ状態へと移行する。
【００５３】
また、ソレノイド２８は、スイッチ２７がオン状態からオフ状態へと移行したことによって通電状態から非通電状態となり、磁性部材２６を磁力によって保持できなくなり、磁性部材２６は、取出し方向、すなわち、ばね２４による矢印Ｃ方向の弾性力に基づいて、図７Ｂ（ｄ）の状態にあるロックバー２５に接触するまで段差部２０２を変位する。
【００５４】
磁性部材２６は、図７Ｃ（ｅ）に示すように、ロックバー２５のストッパ２５７に磁性部材２６の第２の接触部２６４が接触し、停止する。
【００５５】
上記に示したように、携帯機収納装置２は、携帯機３に対してなされたプッシュ操作によってソレノイド２８を通電状態とし、携帯機３をアンロックすることができる。
【００５６】
（携帯機の挿入動作について）
ユーザは、携帯機３を開口部２１に挿入し、プッシュ操作方向に携帯機３を押し込む。
【００５７】
携帯機３は、その端部が支持部２２の挿入凹部２２３に進入すると、ロックバー２５の挿入凹部２２３に突出する終端部２５２に接触する。接触することによってロックバー２５の凸部２５９は、携帯機３方向に回転する。
【００５８】
携帯機３の端部が、支持部２２の基部２２０に接触すると、挿入凹部２２３に突出していたロックバー２５の終端部２５２が支持部２２の櫛歯状開口２２６に収納され、その収納された量に基づいてロックバー２５の凸部２５９は携帯機３方向に回転する。
【００５９】
ロックバー２５の凸部２５９は、携帯機３方向に回転することによって携帯機３のロック凹部３１内に進入し、携帯機３は、図３に示すように、携帯機収納装置２に収納され、ロックバー２５により収納部２００からの取出しがロックされる。
【００６０】
なお、上記において、凸部２５９が、携帯機３が収納されていた領域に突出しないように構成されていたが、凸部２５９が、携帯機３が収納されていた領域に突出し、携帯機３の端部が、第２の斜面２５４に接触することによって、ロックバー２５の凸部２５９が携帯機３方向とは逆方向に回転し、凸部２５９が携帯機３の側面部に接触しながら所定の位置（ロックされる位置）に変位したとき、ばね２４の弾性力によって磁性部材２６を介してロックバー２５が弾性力を付加され、携帯機３方向に回転して凸部２５９がロック凹部３１に進入する構成としても良い。
【００６１】
（効果）
（１）上記した実施の形態における携帯機収納装置２によれば、非通電状態で携帯機３をロックするので、電力の消費を抑えることができる。
【００６２】
（２）上記した実施の形態における携帯機収納装置２によれば、ソレノイド２８によって磁性部材２６を保持するので、構成が簡単で製造コストを抑えることができる。
【００６３】
（３）上記した実施の形態における携帯機収納装置２によれば、ロックバー２５に第１の斜面２５３が形成されているので、磁性部材２６がソレノイド２８に保持されたのち、容易に携帯機３を取り出すことができる。
【００６４】
（４）上記した実施の形態における携帯機収納装置２によれば、ロックバー２５に第２の斜面２５４が形成されているので、携帯機３が収納されていた領域に凸部２５９が突出した状態でも携帯機３を容易に挿入することができる。
【００６５】
（５）上記した実施の形態における携帯機収納装置２によれば、本体２０に凹部２０４が形成されているので、ロックバー２５の凸部２５９が携帯機３方向とは逆方向に回転することができる。
【００６６】
（６）上記した実施の形態における携帯機収納装置２によれば、携帯機３に対してプッシュ操作を行うことによって、アンロックすることができるので、アンロックスイッチ等を必要とせず、構成が簡単でコストを抑えることができる。
【００６７】
（７）上記した実施の形態における携帯機収納装置２によれば、携帯機３に対してプッシュ操作を行うことによって、アンロックすることができるので、携帯機３の取出し動作が簡単となりユーザに対する負担を軽減することができる。
【００６８】
（８）上記した実施の形態における携帯機収納装置２によれば、ロックバー２５を駆動するためのアクチュエータを必要としないので、構成が簡単となり、コストを抑えることができる。
【００６９】
（９）上記した実施の形態における携帯機収納装置２によれば、構成が簡単なので、小型化が容易である。
【００７０】
[第２の実施の形態]
（携帯機収納装置の構成）
図８は、本発明の第２の実施の形態に係る携帯機収納装置の断面図である。なお、以下の説明において、第１の実施の形態と同一の構成及び機能を有する部分については共通の符号を付し、また、第１の実施の形態と関連する部分については第１の実施の形態の符号に「Ａ」を付加するものとする。また、以下において、支持部２２Ａの右側部２２１Ａに設けられるガイド２２４Ａは、磁性部材２６Ａとロックバー２５Ａとの関係を見易くするため、図示を省略するものとする。
【００７１】
この携帯機収納装置２Ａは、図８に示すように、一例として、矩形状を有する本体２０Ａと、本体２０Ａの側面部に設けられた開口部２１Ａと、を備え、本体２０Ａは、支持部２２Ａ及び携帯機３等を収納する収納部２００Ａと、開口部２１Ａに対向する収納部２００Ａの側面部から突出して設けられ、支持部２２Ａに弾性力を付加するばね２３Ａを受けるばね受け２０１Ａと、携帯機３が取り出される際のロックバー２５の逃げとなる凹部２０４Ａと、支持部２２Ａの上下に設けられたガイド２２４Ａが挿入されるガイド溝２０５Ａと、を備えて概略構成されている。
【００７２】
ガイド溝２０５Ａは、支持部２２Ａの上下に設けられたガイド２２４Ａに対応して、本体２０Ａの上下に設けられているものとする。
【００７３】
また携帯機収納装置２Ａの本体２０Ａ内には、図８に示すように、開口部２１Ａから挿入された携帯機３と接触し、支持する支持部２２Ａと、支持部２２Ａに回転可能に設けられ、回転に基づいて収納された携帯機３のロック凹部３１に進入・離脱する凸部２５９Ａを有するロックバー２５Ａと、ロックバー２５Ａの凸部２５９Ａが携帯機３のロック凹部３１に進入した状態を保つようにロックバー２５Ａの携帯機方向の回転とは逆方向の回転をロックする磁性部材２６Ａと、収納された携帯機３に対してプッシュ操作がなされたとき、オン状態に切替わるスイッチ２７と、スイッチ２７がオン状態に切替わったとき、プッシュ操作によって変位した磁性部材２６Ａを保持し、ロックバー２５Ａの回転をアンロックするソレノイド２８Ａと、を備えて概略構成されている。
【００７４】
（支持部について）
図９は、本発明の第２の実施の形態に係る支持部の斜視図である。支持部２２Ａは、図８及び図９に示すように、携帯機３を支持するように略コ字形状を有し、図８において右側に右側部２２１Ａ、及び左側に左側部２２２Ａが両端部に設けられた基部２２０Ａと、基部２２０Ａ、右側部２２１Ａ及び左側部２２２Ａによって形成され、携帯機３が挿入される挿入凹部２２３Ａと、右側部２２１Ａ及び左側部２２２Ａの上部及び下部に設けられ、本体２０Ａに設けられたガイド溝２０５Ａに挿入されることで支持部２２Ａの変位方向を案内するガイド２２４Ａと、基部２２０Ａの本体２０Ａ側に設けられ、ばね２３Ａを受けるばね受け２２５Ａと、右側部２２１Ａ及びロックバー２５Ａを貫通するように形成された貫通孔に挿入され、ロックバー２５Ａを支持部２２Ａに回転可能に固定し、ロックバー２５Ａの回転軸であるピン２２７Ａと、を備えて概略構成されている。
【００７５】
右側部２２１Ａは、図９に示すように、上部２２１ａ及び下部２２１ｂとによって構成され、この上部２２１ａ及び下部２２１ｂの間にロックバー２５Ａは、配置されている。
【００７６】
（ロックバーの構成）
図１０は、本発明の第２の実施の形態に係るロックバーの平面図である。ロックバー２５Ａは、図１０に示すように、先端部２５１Ａに凸部２５９Ａが形成された本体２５０Ａと、先端部２５１Ａと、先端部２５１Ａと対向する端部である終端部２５２Ａと、携帯機３のロック凹部３１の側面部と接触する第１の斜面２５３Ａと、携帯機３が収容されるとき、携帯機３の端部が接触する第２の斜面２５４Ａと、本体２５０Ａに設けられ、ピン２２７Ａが挿入される貫通孔２５８Ａと、凸部２５９Ａと、を備えて概略構成されている。
【００７７】
先端部２５１Ａは、一例として、図１０に示すように、第１の斜面２５３Ａと第２の斜面２５４Ａとによって略三角形状となる凸部２５９Ａが形成されている。この凸部２５９Ａが携帯機３のロック凹部３１内に進入し、磁性部材２６Ａによってロックバー２５Ａの回転がロックされているとき、携帯機３は、ロックバー２５Ａ及び支持部２２Ａと共に変位する、言い換えるなら、携帯機３は、携帯機収納装置２Ａにロックされ、携帯機収納装置２Ａから取出しできない状態となる。
【００７８】
また終端部２５２Ａは、一例として、図１０に示すように、略Ｌ字形状を有し、端部２５５Ａとストッパ２５６Ａとを有する。この端部２５５Ａは、携帯機３が取り出されているとき、挿入凹部２２３Ａ内に突出するものであり、また、携帯機３の取り出しがロックされているとき、磁性部材２６Ａの後述するストッパ２６２Ａと接触する。また終端部２５２Ａのストッパ２５６Ａは、携帯機３の取り出しがロックされているとき、磁性部材２６Ａの後述する端部２６３Ａと接触する。
【００７９】
（磁性部材の構成）
図１１（ａ）は、本発明の第２の実施の形態に係る携帯収納装置の図８のＤ−Ｄ線断面図であり、（ｂ）は、磁性部材の上面図である。
【００８０】
磁性部材２６Ａは、鉄及び鋼等の磁性体によって形成され、図１１（ａ）及び（ｂ）に示すように、本体２０Ａの下部に設けられたガイド溝２０５Ａに挿入されるガイド２６６Ａを下部に有する本体２６０Ａと、本体２０Ａのばね受け２０３Ａと共にばね２４Ａを支持するばね受け２６１Ａと、先端部２６４Ａに設けられたストッパ２６２Ａ及び端部２６３Ａと、ソレノイド２８Ａに対向する側面部である端部２６５Ａと、を備えて概略構成されている。
【００８１】
先端部２６４Ａは、一例として、図１１（ｂ）に示すように、ロックバー２５Ａの終端部２５２Ａの形状に対応する略Ｌ字形状を有する。
【００８２】
ストッパ２６２Ａ及び端部２６３Ａは、ソレノイド２８Ａが非通電状態にあるとき、図８に示すように、右側部２２１Ａの上部２２１ａ及び下部２２１ｂに挟まれた領域において、ばね２４Ａの弾性力によってロックバー２５Ａの終端部２５２Ａと嵌り合うように、上部２２１ａ及び下部２２１ｂに合わせて上下に図１１（ａ）に示す段差が付けられている。
【００８３】
（スイッチの構成）
スイッチ２７は、第１の実施の形態と同一の構成及び機能を有する。
【００８４】
（ソレノイドの構成）
ソレノイド２８Ａは、ヨーク２８ｂＡにコイル２８ａＡを巻き回して構成される電磁石であり、第１の実施の形態と同一の機能及び構成を有しているが、その配置は、図１１（ａ）に示すように、携帯機収納装置２Ａの本体２０Ａの側面上部、つまり、ばね受け２０３Ａよりも上方に設けられている。
【００８５】
（動作）
以下に、本実施の形態における携帯機収納装置に関する動作を各図を参照して詳細に説明する。まず、携帯機３の取出し動作について説明する。
【００８６】
（携帯機の取出し動作について）
図１２Ａ（ａ）は、本発明の第２の実施の形態に係る携帯機がプッシュ操作されたときの断面図であり、（ｂ）は、磁性部材がソレノイドに吸引されている断面図であり、図１２Ｂ（ｃ）は、携帯機がアンロックされたときの断面図であり、（ｄ）は、携帯機が取り出され、ソレノイドが非通電となったときの断面図である。
【００８７】
ユーザは、車両１の電源投入後、携帯機３を取り出すためにグローブボックス１２の扉１３を開け、図１２Ａ（ａ）に示す矢印Ｂ方向に携帯機３に対してプッシュ操作を行う。
【００８８】
携帯機３は、プッシュ操作が行われたことによって支持部２２Ａを介して基部２２０Ａに設けられたばね２３Ａを収縮させ、支持部２２Ａは、ガイド溝２０５Ａに案内されながら、矢印Ｂ方向に変位する。
【００８９】
このとき、ロックバー２５Ａの終端部２５２Ａが接触している磁性部材２６Ａは、ロックバー２５Ａと共に矢印Ｂ方向にばね２４Ａを収縮させながら変位する。
【００９０】
矢印Ｂ方向に変位した支持部２２Ａは、その基部２２０Ａがスイッチ２７のレバー２７１を本体２７０方向に押し、スイッチ２７は、オフ状態からオン状態へと移行する。
【００９１】
オン状態となったスイッチ２７は、ソレノイド２８Ａに電力を供給、つまり、ソレノイド２８Ａは通電状態となり、図１２Ａ（ｂ）に示すように、磁性部材２６Ａを磁力で吸引し、磁性部材２６Ａの端部２６５Ａとソレノイド２８Ａが接触し、その状態が保持される。
【００９２】
ユーザが携帯機３から手を離すと、携帯機３は、図１２Ａ（ｂ）に示すように、ばね２３Ａによって矢印Ｃ方向に支持部２２Ａの基部２２０Ａを介して弾性力が付加される。弾性力が付加された支持部２２Ａは、ガイド溝２０５Ａに案内されながら矢印Ｃ方向、すなわち、携帯機３の取出し方向にロックバー２５Ａと共に変位する。
【００９３】
このとき、磁性部材２６Ａは、ソレノイド２８Ａに磁力によって吸引されているため、ばね２４Ａの弾性力によってロックバー２５Ａと共に変位することができず、図１２Ａ（ｂ）に示すように、ソレノイド２８Ａに保持された状態を保っている。
【００９４】
支持部２２Ａを介して矢印Ｃ方向に弾性力が付加された携帯機３は、一例として、ばね２３Ａによる弾性力によって支持部２２Ａとの接触状態が解除され、ロック凹部３１の第１の側面部３１０を介してロックバー２５Ａの第１の斜面２５３Ａに力を付加する。
【００９５】
ロックバー２５Ａは、図１２Ａ（ｂ）に示すように、磁性部材２６Ａがソレノイド２８Ａに保持されていることから、携帯機３方向とは逆方向に回転することが可能であるので、図１２Ｂ（ｃ）に示すように、携帯機３の第１の側面部３１０を介して力が付加されることによって携帯機３方向とは逆方向に回転する。
【００９６】
携帯機３は、ロックバー２５Ａを回転させながら取出し方向に変位し、ロック凹部３１からロックバー２５Ａの凸部２５９Ａが抜け出す、言い換えるなら、離脱し、開口部２１Ａからさらに突出する。
【００９７】
このとき、ロックバー２５Ａは、図１２Ｂ（ｃ）に示すように、本体２０Ａに設けられた凹部２０４Ａにさらに先端部２５１Ａが進入する。
【００９８】
ロックバー２５Ａの凸部２５９Ａは、図１２Ｂ（ｄ）に示すように、一例として、携帯機３が収納されていた領域に突出しない位置まで回転する。このとき、ロックバー２５Ａの終端部２５２Ａは、支持部２２Ａの挿入凹部２２３Ａに突出している。
【００９９】
一方、スイッチ２７は、プッシュ操作が行われたとき、基部２２０Ａによってレバー２７１が本体２７０側に押され、オン状態となっていたが、ばね２３Ａの弾性力によって支持部２２Ａが矢印Ｃ方向に変位したのち、レバー２７１が本体２７０から離れ、オン状態からオフ状態へと移行する。
【０１００】
また、ソレノイド２８Ａは、スイッチ２７がオン状態からオフ状態へと移行したことによって通電状態から非通電状態となり、磁性部材２６Ａを磁力によって保持できなくなり、磁性部材２６Ａは、取出し方向、すなわち、ばね２４Ａによる矢印Ｃ方向の弾性力に基づいて、ロックバー２５Ａに接触するまでガイド溝２０５Ａに案内されながら変位する。
【０１０１】
磁性部材２６Ａは、図１２Ｂ（ｄ）に示すように、その先端部２６４Ａのストッパ２６２Ａが、ロックバー２５Ａのストッパ２５６Ａに接触し、停止する。
【０１０２】
上記に示したように、携帯機収納装置２Ａは、携帯機３に対してプッシュ操作を行うことによってソレノイド２８Ａを通電状態とし、携帯機３をアンロックすることができる。
【０１０３】
（携帯機の挿入動作について）
ユーザは、携帯機３を開口部２１Ａに挿入し、プッシュ操作方向に携帯機３を押し込む。
【０１０４】
携帯機３は、その端部が支持部２２Ａの挿入凹部２２３Ａに進入すると、ロックバー２５Ａの挿入凹部２２３Ａに突出する終端部２５２Ａに接触する。接触することによってロックバー２５Ａの凸部２５９Ａは、携帯機３方向に回転する。
【０１０５】
携帯機３の端部が、支持部２２Ａの基部２２０Ａに接触すると、挿入凹部２２３Ａに突出していたロックバー２５Ａの終端部２５２Ａが支持部２２Ａの右側部２２１Ａに収納され、その収納された量に基づいてロックバー２５Ａの凸部２５９Ａは携帯機３方向に回転する。
【０１０６】
ロックバー２５Ａの凸部２５９Ａは、携帯機３方向に回転することによって携帯機３のロック凹部３１内に進入し、携帯機３は、図８に示すように、携帯機収納装置２Ａに収納され、ロックされる。
【０１０７】
なお、上記において、凸部２５９Ａが、携帯機３が収納されていた領域に突出しないように構成されていたが、凸部２５９Ａが携帯機３が収納されていた領域に突出し、携帯機３の端部が、第２の斜面２５４Ａに接触することによって、ロックバー２５Ａの凸部２５９Ａが携帯機３方向とは逆方向に回転し、凸部２５９Ａが携帯機３の側面部に接触しながら所定の位置（ロックされる位置）に変位したとき、ばね２４Ａの弾性力によって磁性部材２６Ａを介してロックバー２５Ａが弾性力を付加され、携帯機３方向に回転して凸部２５９Ａがロック凹部３１に進入する構成としても良いのは、第１の実施の形態と同様である。
【０１０８】
（効果）
第２の実施の形態における携帯機収納装置２Ａの効果は、第１の実施の形態における携帯機収納装置２の効果と同様であり、さらに、磁性部材２６Ａ、ばね２４Ａ及びソレノイド２８Ａを支持部２２Ａの変位方向に配置することができるので、さらに小型化することができる。
【０１０９】
なお、本発明は、上記した実施の形態に限定されず、本発明の技術思想を逸脱あるいは変更しない範囲内で種々の変形が可能である。
【０１１０】
例えば、第２の実施の形態におけるロックバー２５Ａの終端部２５２Ａは、挿入凹部２２３Ａに突出しなくても良い。携帯機収納装置２Ａは、携帯機３が挿入凹部２２３Ａに挿入されることにより支持部２２Ａがプッシュ操作方向に変位し、その変位に伴ってロックバー２５Ａの凹部２０４Ａ側の側面が凹部２０４Ａと接触し、ロックバー２５Ａの先端部２５１Ａが携帯機３方向に回転するからである。
【符号の説明】
【０１１１】
１…車両、２、２Ａ…携帯機収納装置、３…携帯機、１０…車両本体、１１…インストルメントパネル、１２…グローブボックス、１３…扉、２０…本体、２０Ａ…本体、２１、２１Ａ…開口部、２２、２２Ａ…支持部、２５、２５Ａ…ロックバー、２６、２６Ａ…磁性部材、２７…スイッチ、２８、２８Ａ…ソレノイド、２８ａ、２８ａＡ…コイル、２８ｂ、２８ｂＡ…ヨーク、３１…ロック凹部、２００、２００Ａ…収納部、２０２…段差部、２０４、２０４Ａ…凹部、２０５、２０５Ａ…ガイド溝、２２０、２２０Ａ…基部、２２１、２２１Ａ…右側部、２２１ａ…上部、２２１ｂ…下部、２２２、２２２Ａ…左側部、２２３、２２３Ａ…挿入凹部、２２４、２２４Ａ…ガイド、２２６…櫛歯状開口、２２７、２２７Ａ…ピン、２５０、２５０Ａ…本体、２５１、２５１Ａ…先端部、２５２、２５２Ａ…終端部、２５３、２５３Ａ…第１の斜面、２５４、２５４Ａ…第２の斜面、２５５…Ｌ型ストッパ、２５５Ａ…端部、２５６…凹部、２５６Ａ…ストッパ、２５７…ストッパ、２５８、２５８Ａ…貫通孔、２５９、２５９Ａ…凸部、２６０、２６０Ａ…本体、２６２…Ｌ型先端部、２６２Ａ…ストッパ、２６３…第１の接触部、２６３Ａ…端部、２６４…第２の接触部、２６４Ａ…先端部、２６５…側部、２６５Ａ…端部、２６６Ａ…ガイド、２７０…本体、２７１…レバー、３１０…側面部
【図１】
2011152835.tif 000003
【図２】
2011152835.tif 000004
【図３】
2011152835.tif 000005
【図４】
2011152835.tif 000006
【図５】
2011152835.tif 000007
【図６】
2011152835.tif 000008
【図７Ａ】
2011152835.tif 000009
【図７Ｂ】
2011152835.tif 000010
【図７Ｃ】
2011152835.tif 000011
【図８】
2011152835.tif 000012
【図９】
2011152835.tif 000013
【図１０】
2011152835.tif 000014
【図１１】
2011152835.tif 000015
【図１２Ａ】
2011152835.tif 000016
【図１２Ｂ】
2011152835.tif 000017